(57)【特許請求の範囲】
【請求項１】
浴槽から出た浴湯を、少なくとも濾過装置と循環ポンプと加熱器とがこの順番で接続された所定の管路に通して浴槽へと循環させて長期にわたって使用するとき、正負の電圧が印加される第１、２の極板を備えた電解タンクで電気分解して得られる陽極水を浴湯に適宜混入して、浴湯中の雑菌を殺菌する方法であって、
前記電解タンクには、水道水に食塩を溶かした塩水を塩水ポンプによって供給すると共に水道水を供給し、前記第１、２の極板は、電気分解をする毎に印加する電圧の正負を換え、このようにして電気分解するとき、前記第１、２の極板のうち正の電圧が印加されている方から陽極水を得、該陽極水を、前記濾過装置から前記循環ポンプに連なっている管路に、逆止弁を介して混入し、浴槽に達するまでに浴湯と均一に混合することを特徴とする浴湯の殺菌浄化方法。
【請求項２】
請求項１に記載の殺菌浄化方法において、陽極水を、浴湯のペーハ値または酸化還元電位値が所定範囲に保たれるように混入する、浴湯の殺菌浄化方法。
【請求項３】
少なくとも、浴湯を濾過する濾過装置と循環ポンプと浴湯を加熱する加熱器とがこの順で接続された所定の管路と、電解装置とを備え、前記循環ポンプが起動されると浴槽中の浴湯が前記濾過装置と加熱器とを通り浴槽へと循環し、その間に前記電解装置の第１、２の極板により得られる陽極水が浴湯中へ適宜混入されるようになっている浴湯中の雑菌を殺菌する装置であって、
前記電解装置は、第１、２の極板が設けられている電解タンクに、水道水に食塩が溶かされた塩水が塩水ポンプによって供給されると共に水道水が供給されるようになっており、前記第１、２の極板には電気分解をする毎に正負が変化する電圧が印加され、常に正の電圧が印加されている方から陽極水が得られるようになっており、得られた陽極水は、前記濾過装置から前記循環ポンプに連なっている管路に、逆止弁を介して混入され、それによって浴槽に達するまでに浴湯と均一に混合されるようになっていることを特徴とする浴湯の殺菌浄化装置。
【発明の詳細な説明】
【技術分野】
【０００１】
本発明は、浴槽の浴湯に、食塩水を電気分解して得られる陽極水を混入して、浴湯中の雑菌を殺菌する浴湯の殺菌浄化方法および殺菌浄化装置に関するものである。
【背景技術】
【０００２】
浴湯中の人毛等の挟雑物を取り除くための濾過装置、浴湯を強制的に循環するための循環ポンプ、セラミックス、貝化石、麦飯石等の活性石が収納されている活性化装置、殺菌・脱臭等の作用を奏するオゾンガスを発生するためのオゾンガス発生器、浴湯を所定温度に加熱するためのヒータ、オゾンガスの混入時期、ヒータの通電時間等を制御する制御装置等を備えた浴湯の浄化装置を、本出願人は特許文献１〜３等により多数提案している。これらの浴湯の浄化装置は、活性化装置を備えているので、浴湯は活性化装置を通過するとき、活性石に繁殖して他養生活をするバクテリヤにより有機物、例えば浴湯を腐敗させる原因となるアンモンニャが分解され、浴湯は浄化される。また、オゾンガスにより浴湯中の雑菌が殺菌され、さらにはバクテリヤが分解できないような大きな分子量の有機物の分解、脱臭等の作用が得られる。
【０００３】
【特許文献１】実開平６ー４８８９３号公報
【特許文献２】特開平７ー１８５５７４号公報
【特許文献３】実公平６ー２３２０３号公報
【特許文献４】特開２００３−７１４６５
【０００４】
このように、本出願人が提案している浴湯の浄化装置は、オゾンガスにより浴湯中の雑菌が殺菌され、有機物はバクテリヤにより生物学的に分解処理されるようになっているので、現在も有効に実用に供され実績を上げているが、本出願人は特許文献４により、さらに改良された浴湯の浄化方法を提案している。この浴湯の浄化方法によると、陽極水は食塩水を含んだ浴湯の一部を電気分解して得られ、そして浴槽から出た浴湯が家庭用においてはヒータと濾過装置とを通って、また業務用においては熱交換器と濾過装置とを通って浴槽へと循環しているときに混入されるようになっている。このような陽極水は、家庭用の浴湯には、１日を単位として１日の内１〜４時間間、業務用の浴湯には１日の内２〜８時間または浴湯のＯＲＰ値が１０００ｍＶの範囲に保たれるように混入するように構成されている。
【発明の開示】
【発明が解決しようとする課題】
【０００５】
本出願人が特許文献４により提案している上記浴湯の殺菌浄化方法によると、浴湯に陽極水が混入されるので、浴湯は酸性になり、浴湯中の雑菌は効果的に殺菌される。また、浴湯が酸性になるので、薬効効果も認められ、発明の所期の目的は達成されている。さらには、容積が小さく利用人数が少なく雑菌の繁殖もそれほど多くない家庭用風呂と、容積が比較的大きい保養施設、レジャーセンタ等の大規模で、老若男女さらには病弱な人も入浴する可能性もある業務用の風呂とに分けて、そして家庭用の浴湯に対しては陽極水の混入時間を制御し、業務用には陽極水の混入時間とＯＲＰを制御するので、塩水および電力を妄りに消費することなく、入浴に必要にして充分な殺菌が行われ、また薬効効果も得られ、有効に実施されている。
しかしながら、その後の実施の結果、改良の余地があることが判明した。すなわち、陽極水を得る電解槽の電極に比較的早期に湯垢、細菌の死骸等が付着することが判明した。付着すると、電解効率が落ちるので取り除く清掃が必要があるが、保守点検の専門家がいる業務用は定期的に清掃作業をすることができるとしても、家庭用では一般的に困難になる。
本発明は、上記したような従来の問題点に鑑みてなされたもので、家庭用、業務用等に関係なく、長期にわたって電解装置の保守点検を必要としない、浴湯の殺菌浄化方法および殺菌浄化装置を提供することを目的とし、他の発明は、上記目的に加えてＣＯＤあるいはＢＯＤの値の上昇を抑えることのできる浴湯の殺菌浄化方法を提供することを目的とている。
【課題を解決するための手段】
【０００６】
本発明の上記目的は、電極が設けられている電解タンクには、水道水と、水道水に食塩が溶かされた塩水とを供給して電気分解し、そして電気分解により得られる陽極水を、所定の逆止弁を介して、浴湯中に例えば設定時間毎に、あるいは設定日時毎に、さらにはペーハ値または酸化還元電位値が所定範囲に保たれるように混入するように構成することにより達成される。すなわち、請求項１に記載の発明は、上記目的を達成するために、浴槽から出た浴湯を、少なくとも濾過装置と循環ポンプと加熱器とがこの順番で接続された所定の管路に通して浴槽へと循環させて長期にわたって使用するとき、正負の電圧が印加される第１、２の極板を備えた電解タンクで電気分解して得られる陽極水を浴湯に適宜混入して、浴湯中の雑菌を殺菌する方法であって、前記電解タンクには、水道水に食塩を溶かした塩水を塩水ポンプによって供給すると共に水道水を供給し、前記第１、２の極板は、電気分解をする毎に印加する電圧の正負を換え、このようにして電気分解するとき、前記第１、２の極板のうち正の電圧が印加されている方から陽極水を得、該陽極水を、前記濾過装置から前記循環ポンプに連なっている管路に、逆止弁を介して混入し、浴槽に達するまでに浴湯と均一に混合するように構成される。また請求項２に記載の発明は、請求項１に記載の殺菌浄化方法において、陽極水を、浴湯のペーハ値または酸化還元電位値が所定範囲に保たれるように混入するように構成される。
請求項３に記載の発明は、少なくとも、浴湯を濾過する濾過装置と循環ポンプと浴湯を加熱する加熱器とがこの順で接続された所定の管路と、電解装置とを備え、前記循環ポンプが起動されると浴槽中の浴湯が前記濾過装置と加熱器とを通り浴槽へと循環し、その間に前記電解装置の第１、２の極板により得られる陽極水が浴湯中へ適宜混入されるようになっている浴湯中の雑菌を殺菌する装置であって、前記電解装置は、第１、２の極板が設けられている電解タンクに、水道水に食塩が溶かされた塩水が塩水ポンプによって供給されると共に水道水が供給されるようになっており、前記第１、２の極板には電気分解をする毎に正負が変化する電圧が印加され、常に正の電圧が印加されている方から陽極水が得られるようになっており、得られた陽極水は、前記濾過装置から前記循環ポンプに連なっている管路に、逆止弁を介して混入され、それによって浴槽に達するまでに浴湯と均一に混合されるように構成される。
【発明の効果】
【０００７】
以上のように、本発明によると、浴槽から出た浴湯を、少なくとも濾過装置と加熱器とを通って浴槽へと循環させて長期にわたって使用するとき、第１、２の極板を備えた電解タンクで電気分解して得られる陽極水を浴湯に混入するので、浴湯は加熱器により所定温度に加熱保持され、濾過装置により濾過される。そして、陽極水により浴湯中の雑菌は効果的に殺菌される。また、浴湯が酸性になるので、薬効効果、美容効果すなわちアストリンゼン効果も得られる。さらには、陽極水が注入されるので、浴湯中のコロイド状の物質は凝集し、これが濾過装置で濾過されるので、浴湯が透明状態に常時保たれる効果も得られる。
このような効果に加えて、本発明によると第１、２の極板が設けられている電解タンクには、水道水と、水道水に食塩を溶かした塩水とが供給されるので、電極板への不純物の付着が防止される。したがって、本発明によると、電解装置のメンテナンスがフリーになるという本発明に特有の効果が得られる。また、電気分解をする毎に第１、２の極板に印加する正負の電圧を変えるので、第１、２の極板、電解タンク等に付着するシリカ分がなくなる。あるいは付着量が減る。従って、長期にわたって安定し陽極水が得られる。
【発明を実施するための最良の形態】
【０００８】
以下、本発明の実施の形態を説明する。図１は、本発明の実施の形態に係わる浴湯の殺菌浄化装置の模式図であるが、同図に示されているように、本実施の形態に係わる浴湯の殺菌浄化装置は、濾過器１、循環ポンプ１０、加熱器１１等からなる浴湯の循環系統Ｊと、自動食塩水供給装置１２、電解装置２０等からなる浴湯の殺菌系統Ｓとからなっている。循環系統Ｊには、図１には示されていないが、必要に応じてオゾンガス発生装置、セラミックス、貝化石、麦飯石のような活性石が収納されている活性化装置等が設けられる。また、浴湯の殺菌系等Ｓには銀イオン発生装置も適宜設けられる。このような循環系統Ｊおよび殺菌系等Ｓの構成機器は、後述するように、耐酸性あるいは耐食性の管あるいはパイプで互いに接続され、そして制御装置により適宜制御されるようになっている。
【０００９】
濾過器１は、耐食性のフィルタタンク２を備えている。このフィルタタンク２の内部は、仕切板３で上下の２室に仕切られ、上方が浴湯の濾過室４となり、そして下方が集湯室５となっている。図１の（イ）には１個だけしか示されていないが、仕切板３には複数個の透孔が明けられ、これらの透孔に対応して、濾過室４に複数本の円筒状のフィルタ６、６…が設けられている。フイルタ６、６、…の中には複数個の孔が開けられたパイプ７が設けられている。このパイプ７の上方端は、フイルタ６内に開口し、そして下端部は集湯室５に開口している。したがって、濾過室４に供給される浴湯は、フィルタ６、６、…の筒部を通過するときに濾過され、そしてパイプ７の孔および上方の開口部を通って、下方の集湯室５に集まる。このように構成されているフィルタタンク２の濾過室４には、吐出パイプａの終端が接続され、集湯室５には循環ポンプ１０に連なっている濾過排出管ｃの始端が接続されている。
【００１０】
加熱器１１は、図１の模式図に示されているように、ケーシングからなり、その内部に従来周知の電気ヒータ例えばチラーヒータが設けられている。ケーシングの入り口には循環ポンプ１０の吐出管ｄが接続され、出口には吸込パイプｂが接続されている。しかしながら、加熱器１１は、本出願人が提案している特開２００３−７１４６５に示されているように構成することもできる。すなわち、アルミニウム製のブロックの略中心部に電気ヒータを設け、この電気ヒータの両側に軸方向に貫通する形で２本の耐酸性のステンレス管からなる第１、２の熱交換パイプを挿入するように実施することもできる。これにより、浴湯は浴槽Ｙから出て浴槽Ｙに戻る間に２度加熱されることになる。
【００１１】
本実施の形態に係わる電解装置２０は、図１の（ロ）に拡大して示されているように、例えば絶縁性のプラスチックからなる電解タンク２１から構成され、その内部は縦方向に、網、多孔板等の透液性の隔壁２２により第１の電極室２３と第２の電極室２４とに２分されている。そして、第１の電極室２３には第１の極板２５が、第２の電極室２４には第２の極板２６がそれぞれ配置されている。配線関係は図には示されていないが、これらの第１、２の極板２５、２６には、例えば１０〜１２ボルトの直流電圧が設定時間毎に交互に印加されるようになっている。すなわち、第１の極板２５にプラスの電圧が印加されるときは、第２の電極２６にはマイナスの電圧が、そして第１の極板２５にマイナスの電圧が印加されるときは、第２の電極２６にはプラスの電圧が印加されるように、電気分解をするたびに切り替わるようになっている。
【００１２】
このように構成されている電解タンク２１の第１の電極室２３の上方には、陽極水供給管ｆの始端が接続され、この陽極水供給管ｆには調整バルブ２７と逆止弁２８と、図１の（ロ）に示されている第１の電磁３方弁３１が介装され、その終端は浴槽Ｙから離れた位置の濾過排出管ｃに接続されている。これにより、浴湯に混入される陽極水は、浴槽Ｙに達するまでに浴湯と均一に混合される。また、電解タンク２１の第２の電極室２４の上方には、図１の（ロ）に示されている第２の電磁３方弁３２と電磁開閉弁２９が介装された陰極水排出管ｇが接続されている。また、第１の電磁３方弁３１の第３の出口ポートは、連絡管ｇ’により陰極水排出管ｇに接続され、第２の電磁３方弁３２の出口ポートは、同様に連絡管ｆ’により陽極水供給管ｆに接続されている。そして、第１、２の極板２５、２６に印加される電圧が変わる毎に第１、２の電磁３方弁３１、３２が切り替わるようになっている。つまり、第１、２の電極により電気分解される陽極水は、常に陽極水供給管ｆから浴湯に供給され、陰極水は陰極水排出管ｇから外部へ排出されるようになっている。
【００１３】
上記のように構成されている電解タンク２１の下部には、上水道管に連なっている水道水供給管ｈが接続されている。この水道水供給管ｈには逆止弁３０と電磁開閉弁３１とが介装されている。したがって、電磁開閉弁３１が開かれると、湯垢、ゴミ等の不純物に汚染されていない水道水が逆止弁３０を通って電解タンク２１に供給されることになる。
【００１４】
自動食塩水供給装置１２も、前述した特開２００３−７１４６５に示されているように構成することもできるが、図１の（イ）には簡略化された装置が示されている。すなわち、耐食性の材質からなる塩水タンク１３から構成されている。そして、この塩水タンク１３には、開閉蓋１４が着脱自在に取り付けられている。したがって、この開閉蓋１４を開いて、電解用の食塩を適宜補給することができる。塩水タンク１３の内部には、フロートスイッチ１５が設けられ、このフロートスイッチ１５により塩水の上下限位置が検出されるようになっている。このように構成されている塩水タンク１３の上方には水道水供給パイプｉが接続され、下方位置には塩水供給管ｊが接続されている。水道水供給パイプｉには電磁開閉弁１６が介装され、水道水供給管ｈに接続されている。また、塩水供給管ｊには、塩水ポンプ１７が介装され、そして水道水供給管ｈに接続されている。したがって、電解タンク２１には、水道水と塩水とが混合されながら供給されることになる。
【００１５】
本実施の形態においても、本出願人が提案している特開２００３−７１４６５に示されているような銀イオン発生装置を設けることもできるが、オゾン発生装置と同様に図１には示されていない。
【００１６】
コントローラすなわち制御装置は図には示されていないが、マイクロコンピュータから構成され、従来周知のような演算機能、比較機能、記憶機能等を備え、また時間、温度、ペーハ（ＰＨ）値等の各種の値を設定できる設定手段も備えている。この制御装置と、図示されないペーハ（ＰＨ）センサ、酸化還元電位計すなわちＯＲＰセンサ、温度センサ等は、信号ラインで接続されている。また、循環ポンプ１０の起動、停止あるいは加熱器１１の電気ヒータ、電解装置２０の第１、２の極板２５、２６に交互に直流電圧を印加する時間、銀イオン発生装置の陽板、オゾンガス発生器等への通電、停止、さらには電磁開閉弁１６、３１、…等の開閉も制御装置により制御されるようになっている。フロートスイッチ１５も図示されない信号ラインで制御装置に接続されている。
【００１７】
次に、上記実施の形態の作用について説明する。初めに、浴槽Ｙの容積が比較的小さい家庭用の浴湯の殺菌浄化方法について説明する。制御装置に浴湯の温度例えば４３℃を設定する。また、浴湯の酸性度すなわちペーハ（ＰＨ）値（２.０〜５.０）を例えば４と設定する。あるいはＯＲＰ値を設定する。ＯＲＰ値は酸化還元電位のことで、この値が８００ｍＶ以上でかなりの殺菌力があり、１０００ｍＶ以上では病原菌やウイルスは生存できないと言われているので、例えば９００ｍＶを設定する。さらには、殺菌日を設定する。本実施の形態では１週間を単位として週のうち１〜３日殺菌するので、例えば日曜日と木曜日とを設定する。また、オゾンガス注入時間を設定する。例えば、日曜日と木曜日は１日に１回１０分、これらの曜日を除いた日は１時毎に１０分混入するように設定する。あるいは同じように銀イオンを混入するように設定する。なお、このときはオゾンガスの混入を止めることもできる。
【００１８】
また、自動食塩水供給装置１２の開閉蓋１４を開き、塩水タンク１３に適量食塩を供給し、そして電磁開閉弁１６を開にして、フロートスイッチ１５が上限を検出するまで水道水を供給する。このようにして、例えば濃度が５％程度の食塩水を塩水タンク１３に蓄える。
【００１９】
温度センサで検出される浴湯の温度は、制御装置に入力され、制御装置において設定値４３℃と比較されている。設定値よりも低くなると、循環ポンプ１０が起動する。そうすると、浴槽Ｙ中の浴湯は実線矢印で示されているように、吐出パイプａから吸い込まれ、濾過器１の濾過室４に吸引される。浴湯は、この濾過室４から複数個のフィルタ６、６、…に均等に分配供給され、そして濾過されて、集湯室５に到る。集湯室５から濾過排出管ｃにより循環ポンプ１０に吸い込まれる。そして、加熱器１１を通って吸込パイプｂから、例えば図１には示されていないが銀イオン発生装置の容器を通って浴槽Ｙへ圧送される。今は、浴湯の温度は設定値よりも低いので、加熱器１１の電気ヒータには通電されている。したがって、浴湯は上記のように循環する間に加熱される。設定温度４３℃になり停止する。このようにして、常時浴湯は設定温度４３℃に保たれる。    
【００２０】
上記のようにして、浴湯が循環加熱され所定温度に保たれる間に入浴する。日が進み、制御装置に設定された日曜日になると、ペーハ（ＰＨ）センサあるいはＯＲＰセンサで検出されるペーハ（ＰＨ）値あるいはＯＲＰ値は、制御装置に設定されている設定値と比較される。これらの検出値が設定値よりも小さいと、上記したように循環ポンプ１０が起動して浴湯が循環する。塩水ポンプ１７が起動する。塩水タンク１３に入れられている塩水が水道水供給管ｈに供給される。また、電磁開閉弁２９が開き、水道水が逆止弁３０を介して適量宛て電解タンク２１に供給される。すなわち、水道水と塩水とが電解タンク２１に供給される。電解タンク２１の第１の電極２５には例えばプラスの、第２の電極２６にはマイナスの電圧が印加され、電気分解が始まる。また、第１、２の電磁３方弁３１、３２は連絡管ｇ’、ｆ’に電解水が流れないように切り替わる。
【００２１】
電解タンク２１の第１の電極室２３では、従来周知のように塩酸と共に次亜塩素酸、亜塩酸、塩酸等が発生する。これらを溶解した強酸性の陽極水は、調整バルブ２７により電解能力に見合った適量に絞られて陽極水供給管ｆから濾過排出管ｃ中に混入される。浴湯の酸度は徐々に高くなり、浴湯中の雑菌は殺菌される。また、入浴することにより薬効効果が得られるようになる。さらには、コロイド性の有機物は凝集沈降する。設定のペーハ（ＰＨ）値４あるいはＯＲＰ値９００ｍＶになると、または設定時間が経過すると、循環ポンプ１０は停止し、電気分解も停止する。第２の電極室２４で生じる陰極水は、陰極水排出管ｇにより外部へ排出される。
【００２２】
設定値よりも低下すると、または設定時間になると、再び起動する。このときは、第１の電極２５にはマイナスの、第２の電極２６にはプラスの電圧が印加される。また、第１、２の電磁３方弁３１、３２は連絡管ｇ’、ｆ’に電解水が流れるように切り替わる。すなわち、第２の電極室２４で電解される陽極水は陽極水供給管ｆから浴槽Ｙへ、第１の電極室２３で電解される陰極水は陰極排出管ｇから外部へ排出される。このようにして、日曜日の１日中、浴湯は設定のペーハ（ＰＨ）値４あるいはＯＲＰ値９００ｍＶに保たれる。これにより、浴湯は略完全に殺菌される。なお、このようにして陽極水を混入しているときも、浴湯の温度が設定値以下に下がると、加熱器１１に通電され、浴湯は加熱される。
【００２３】
オゾンガスの混入時間になると、循環ポンプ１０が起動すると共に、オゾンガス発生器には通電され、エアポンプが起動する。これにより、オゾンガスが例えば吸込パイプｂ中の浴湯に混入される。陽極水により殺菌されずに生き残っている浴湯中の微生物、大腸菌、レジオネラ菌等の細菌は殺菌され、悪臭は脱臭される。また、バクテリアが分解できないような還元性有機物および生物分解性有機物が分解される。オゾンガスは溶存酸素となり、好気性バクテリアの繁殖を助ける。オゾンガスの代わりに銀イオンが混入されると、同様に陽極水により殺菌されずに生き残っている浴湯中の微生物、大腸菌、レジオネラ菌等の細菌は殺菌され、還元性有機物も生物分解性有機物も分解される。
【００２４】
例えば月曜日になり、ペーハ（ＰＨ）値あるいはＯＲＰ値が設定値以下に下がっても、陽極水の混入は行わなず、上記したように浴湯の温度のみが設定温度になるように制御される。これにより、必要以上の殺菌は行われないことになる。また、薬効効果も休むことになる。このようなときも、設定時間になると、オゾンガスまたは銀イオンが設定時間だけ混入される。
【００２５】
設定された木曜日になると、上記したようにして検出されるペーハ（ＰＨ）値あるいはＯＲＰ値が設定値と比較され、設定値に維持されるように制御される。このようなときも、設定時間になると、オゾンガスまたは銀イオンが設定時間だけ混入される。以下、１週間を繰り返す。なお、電解装置２０の水酸化ナトリウムを含んだ陰極水は、陰極水排出管ｇより外部へ排出される。このとき、陰極水排出管ｇに絞弁等を介装し、排出する浴湯の量を減らすように実施することもできる。
【００２６】
上記のようにして電気分解して殺菌すると、塩水タンク１３中の塩水量が減少する。所定量減少すると、フロートスイッチ１５により警報が出る。塩水タンク１３の開閉蓋１４を開き、食塩を適宜補給する。また、水道水も補給し、塩水タンク２１に所定濃度の塩水をためる。
【００２７】
本発明は、上記実施の形態に限定されないことは明らかである。例えば、ペーハ（ＰＨ）値あるいはＯＲＰ値の設定値を高くして、週に１日だけ殺菌するようにすることも、これとは逆に比較的低く設定し、週に３日だけ殺菌するように実施することもできる。また、ペーハ値あるいはＯＲＰ値に関係なく、設定時間あるいは設定日毎に殺菌するように実施することもできる。。また、電極板２５、２６は、本出願人が提案している特開平１１−２９０８５４号に記載されているようなクシ型電極で構成することもできる。このときは、パルス状の電圧を印加するように実施するのが望ましい。オゾンガスと銀イオンの混入も色々な形で実施できる。例えば本実施の形態によると、銀イオン発生装置とオゾンガス発生装置とを備えているので、ＣＯＤあるいはＢＯＤの値によって、これらの装置を同時に使用することもできるし、使い分けすることもできる。また、比較的安価で管理が容易なオゾンガス発生装置だけを設けることもできる。
【００２８】
次に、浴槽Ｙの容積が比較的大きい業務用の浴湯を殺菌浄化方法について説明する。このときは、前述もしたように色々な人が多数入浴するので、充分に殺菌された状態に維持することが必要で、また薬当たりの問題も小さいので、常時殺菌するように実施する。すなわち、ペーハ（ＰＨ）値あるいはＯＲＰ値を設定する。また、浴湯の温度も設定する。さらには、オゾンガスまたは銀イオンの混入する時間、曜日等を設定する。浴湯の温度が設定値よりも低くなると、前述したように循環ポンプ１０が起動する。また、加熱器１１の電気ヒータに通電される。そうすると、浴槽Ｙ中の浴湯は、前述したようにして、加熱される。設定温度になり停止する。これにより、常時浴湯は設定温度に保たれる。
【００２９】
ペーハ（ＰＨ）センサあるいはＯＲＰセンサで検出されるペーハ（ＰＨ）値あるいはＯＲＰ値が設定値よりも下がると、循環ポンプ１０が起動して浴湯が循環する。また、電磁弁２９、３１が開き、塩水ポンプ１７が起動する。塩水タンク２１に前述したように塩水と水道水とが供給される。また、電解タンク２１の電極２５、２６にも通電され、電気分解が始まる。以下前述したようにして、陽極水が陽極水供給管ｆから濾過排出管ｃ中に混入される。浴湯の酸度は高くなり、浴湯中の雑菌が殺菌される濃度になる。また、入浴することにより薬効効果が得られる濃度にもなる。設定ペーハ（ＰＨ）値あるいはＯＲＰ値になると、循環ポンプ１０は停止し、電気分解も停止する。設定値よりも低下すると、再び起動する。このようにして、浴湯は常時設定のペーハ（ＰＨ）値あるいはＯＲＰ値に保たれる。これにより、浴湯は略完全に殺菌される。このようにして陽極水を混入しているときも、設定時間になると、オゾンガスまたは銀イオンが設定時間だけ混入される。これにより、前述したように、殺菌と共に、還元性有機物あるいは生物分解性有機物が分解される。浴湯の温度が設定値以下にさがると、電気ヒータに通電され、浴湯が加熱される。
【００３０】
以上のように、本実施の形態によると、電解タンク２１には湯垢、微生物の死骸等の不純物を含まない水道水と、不純物を含まない水道水に食塩が溶解されている塩水が供給されるので、電極板２５、２６および透孔性の隔壁２２に不純物が付着するようなことがない。したがって、長期にわたって安定して陽極水が得られる。
【図面の簡単な説明】
【００３１】
【図１】本発明の実施の形態を一部断面にして示す模式図で、その（イ）は全体を、そしてその（ロ）は電解装置の詳細拡大図である。
【００３２】
１    濾過器              １０    循環ポンプ
１１    加熱器              １２    自動食塩水供給装置
１３    塩水タンク          １７    塩水ポンプ
２０    電解装置            ２１    電解槽
２５    第１の極板          ２６    第２の極板
ｈ    水道水供給管          ｉ    水道水供給パイプ
【図１】
0004771396.tif 000002